(57)【要約】【課題】  ランニングシューズにおいて、着地時の衝撃をエネルギーとして蓄え、前足部で蹴り出す際に放出することにより、効率的な走行と歩行を可能にすることを課題とする。【解決手段】  硬質の踏み付けプレート１と硬質の接地プレート２とを適度な間隙３をもって踵部の接合部４で接合することにより、この間隙３が狭くなるような外力が加わると、元の間隙３に戻ろうとする復元力を有する板バネ５を形成し、この板バネ５を、硬質の踏み付けプレート１の前足部でランニングシューズの底に取り付けることにより、この課題を解決する。【選択図】図１
2010162318.tif 000002
【特許請求の範囲】
【請求項１】
硬質の踏み付けプレートと硬質の接地プレートとを適度な間隙をもって踵部の接合部で接合し形成した板バネを、シューズの底に取り付けたランニングシューズ。
【請求項２】
板バネを硬質の踏み付けプレートの前足部でシューズの底に取り付けた請求項１記載のランニングシューズ。
【請求項３】
硬質の踏み付けプレートと硬質の接地プレートとの間隙に、補助バネを備えた請求項１または２記載のランニングシューズ。
【請求項４】
硬質の踏み付けプレートと硬質の接地プレートとの間隙に、スタビライザーを備えた請求項１または２または３記載のランニングシューズ。
【請求項５】
硬質の接地プレートの接地面に弾性体を備えた請求項１または２または３または４記載のランニングシューズ。
【発明の詳細な説明】
【技術分野】
【０００１】  本発明は、着地時の衝撃を蹴りだし時の推進力に変換するランニングシューズに関するものである。
【背景技術】
【０００２】  従来のランニングシューズの底は、踵部にクッション性の高い衝撃吸収素材を使用し、着地時の衝撃を分散、緩和している。
【発明の開示】
【発明が解決しようとする課題】
【０００３】  走行時、踵には体重の３倍以上の力が加わるといわれている。従来のランニングシューズは、着地時の衝撃を分散、緩和しているが、着地時の衝撃を蹴りだし時のエネルギーに効率よく変換することができなかった。着地時の衝撃をエネルギーとして蓄え、前足部で蹴り出す際に放出することにより、効率的な走行と歩行を可能にすることを課題とする。
【課題を解決するための手段】
【０００４】  この課題を解決するための請求項１の発明は、硬質の踏み付けプレートと硬質の接地プレートとを適度な間隙をもって踵部の接合部で接合し形成した板バネを、シューズの底に取り付けたランニングシューズである。この板バネは、硬質の踏み付けプレートと硬質の接地プレートとの間隙が狭くなるような外力が加わると、元の間隙に戻ろうとする復元力を有するため、着地の際、板バネが衝撃を吸収するクッションとしての役割を果たすとともに、踵部に加わるエネルギーを、板バネの間隙が狭くなることで前足部まで伝え、その後体重の移動と伴に更にエネルギーを蓄え、前足部で蹴りだす際に蓄えたエネルギーを放出することにより、強いキックを生み出すことができる。【０００５】  また、請求項２の発明は、板バネ５を硬質の踏み付けプレート１の前足部でシューズの底に取り付けた請求項１記載のランニングシューズである。蹴り出しの際、シューズの踵部が硬質の踏み付けプレートから離れるため、シューズの屈曲性が損なわれることなく、スムーズに蹴り出すことができる。【０００６】  また、請求項３の発明は、硬質の踏み付けプレートと硬質の接地プレートとの間隙に、補助バネを備えた請求項１または２記載のランニングシューズである。補助バネを備えることにより、板バネのクッション性、ならびに復元力を補うとともに、板バネの耐久性を増すことができる。また、十分な補助バネを用いれば、接合部は蝶番のような構造にすることも可能である。【０００７】  また、請求項４の発明は、硬質の踏み付けプレートと硬質の接地プレートとの間隙に、左右方向の可動を抑制するスタビライザーを備えた請求項１または２または３記載のランニングシューズである。このスタビライザーは、上下方向には可動するが、左右方向の可動を抑制するもので、板バネの横ぶれや共振を防止し、安定性を増すことができる。また、補助バネにスタビライザーの機能を持たせることも可能である。【０００８】  また、請求項５の発明は、硬質の接地プレートの接地面に弾性体を備えた請求項１または２または３または４記載のランニングシューズである。この弾性体は、路面へのグリップ力を増し、蹴り出し時のエネルギーを効率よく路面に伝えることができる。
【発明の効果】
【０００９】  本発明により、着地時の衝撃をエネルギーにとして蓄え、前足部で蹴り出す際に放出することにより、足の疲労を軽減し、効率的な走行と歩行が可能になる。また、蹴り出しの際、シューズの踵部が硬質の踏み付けプレートから離れるため、シューズの屈曲性が損なわれることなく、スムーズに蹴り出すことができる。また、硬質素材からなる板バネの弾力性、復元力を利用しているため、従来のミッドソールよりクッション性、反発性を向上させるとともに、従来のミッドソールでみられたへたりを減らすことができる。
【発明を実施するための最良の形態】
【００１０】  図１は、本発明のランニングシューズの側面図である。踵部から前足部まで伸びた硬質の踏み付けプレート１と踵部から前足部まで伸びた硬質の接地プレート２とを適度な間隙３をもって踵部の接合部４で接合することにより、この間隙３が狭くなるような外力が加わると、元の間隙３に戻ろうとする復元力を有する板バネ５を形成し、この板バネ５を、硬質の踏み付けプレート１の前足部でシューズの底に取り付ける。蹴り出しの際、シューズの踵部が硬質の踏み付けプレート１から離れるため、シューズの屈曲性を損うことはない。【００１１】  着地時の衝撃をエネルギーとして蓄え、減衰なく前足部まで伝えるために、硬質の踏み付けプレート１と硬質の接地プレート２は、ねじれにくく、しなりにくい、軽量の強化プラスチックやカーボンファイバー製のものなどが適している。【００１２】  踵から着地して前足部で蹴り出す間の体重移動をスムーズにするために、硬質の接地プレート２の形状は、地面に対して前後方向に凸にカーブしたものが適当である。但し、中足部は上方に凸にカーブさせることにより、重心移動をすみやかにすることができる。硬質の踏み付けプレート１も、中足部の落ち込みを防ぎ、前方への推進力を高めるため、中足部は上方に凸のカーブが適当である。【００１３】  接合部４は、硬質の踏み付けプレート１や硬質の接地プレート２と同じ材質で一体形成することも可能である。接合部４のみでは板バネ５のクッション性、ならびに復元力が不充分な場合は、硬質の踏み付けプレート１と硬質の接地プレート２との間隙３に補助バネ６を備え、板バネ５の効果を高めるとともに、耐久性を増すことができる。間隙３に十分な補助バネ６を備えれば、接合部４は蝶番のような構造にすることも可能である。【００１４】  また、硬質の踏み付けプレート１と硬質の接地プレート２との間隙３に、上下方向には可動するが、左右方向の可動を抑制するスタビライザー７を備えることにより、板バネ５の横ぶれや共振を防止し、安定性を増すことができる。この際、スタビライザー７に補助バネ６の機能を持たせることも可能である。【００１５】  硬質の接地プレート２の接地面に、突起付きラバーなどの弾性体８を備えることで、路面へのグリップ力を増し、蹴り出し時のエネルギーを効率よく路面に伝えることができる。【００１６】  図２は、本発明のランニングシューズの着地時の側面図である。着地の際、硬質の踏み付けプレート１と硬質の接地プレート２との間隙３が狭くなることで、板バネ５が衝撃を吸収するクッションとしての役割を果たすとともに、踵部に加わるエネルギーを前足部まで伝えることができる。【００１７】  図３は、本発明のランニングシューズの体重移動時の側面図である。体重の移動とともに、更に間隙３が狭くなることでエネルギーを蓄える。【００１８】  図４は、本発明のランニングシューズの蹴り出し時の側面図である。蹴り出しの際は、シューズの踵部が硬質の踏み付けプレート１から離れるため、シューズの屈曲性は損なわれず、スムーズな蹴り出しができる。また、間隙３が狭くなることで蓄えたエネルギーを、板バネ５の復元力で放出することにより、強いキックを生み出すことができる。【００１９】  図５は、本発明の���ンニングシューズの蹴り出し後の側面図である。蹴り出し後は、板バネ５の復元力で元の間隙３に戻り、次の着地に備える。
【産業上の利用可能性】
【００２０】  本発明に係るランニングシューズは、工業的に量産する事が可能であるため、産業上の利用可能性を有する。
【図面の簡単な説明】
【００２１】
【図１】  本発明のランニングシューズの側面図である。
【図２】  本発明のランニングシューズの着地時の側面図である。
【図３】  本発明のランニングシューズの体重移動時の側面図である。
【図４】  本発明のランニングシューズの蹴り出し時の側面図である。
【図５】  本発明のランニングシューズの蹴り出し後の側面図である。
【符号の説明】
【００２２】  １      硬質の踏み付けプレート
２      硬質の接地プレート
３      間隙
４      接合部
５      板バネ
６      補助バネ
７      スタビライザー
８      弾性体
【図１】
2010162318.tif 000003
【図２】
2010162318.tif 000004
【図３】
2010162318.tif 000005
【図４】
2010162318.tif 000006
【図５】
2010162318.tif 000007